(57)【特許請求の範囲】
【請求項１】
被収集装置内の所定観測点における多重化された複数チャネルのディジタル信号をモニタすべく収集するディジタル信号収集システムであって、
前記観測点における前記複数チャネルのディジタル信号のうち予め指定されたチャネルのディジタル信号を抽出しつつリアルタイムに収集して格納する格納手段と、
この格納手段の格納ディジタルデータを読出してデータ解析機能を有する解析手段へ転送する転送手段と、
を含むことを特徴とするディジタル信号収集システム。
【請求項２】
前記格納手段と前記転送手段とは同一カードに搭載されており、前記被収集装置が搭載されているカードと同一のカード実装筐体に収納されていることを特徴とする請求項１記載のディジタル信号収集システム。
【請求項３】
前記解析手段はパーソナルコンピュータであることを特徴とする請求項１または２記載のディジタル信号収集システム。
【請求項４】
被収集装置内の所定観測点における多重化された複数チャネルのディジタル信号をモニタすべく収集するディジタル信号収集方法であって、
前記観測点における前記複数チャネルのディジタル信号のうち予め指定されたチャネルのディジタル信号を抽出しつつリアルタイムに収集して格納手段に格納するステップと、
この格納手段の格納ディジタルデータを読出してデータ解析機能を有する解析手段へ転送するステップと、
を含むことを特徴とするディジタル信号収集方法。
【発明の詳細な説明】
【０００１】
【発明の属する技術分野】
本発明はディジタル信号収集システム及びその方法に関し、特にＣＤＭＡ（Code Division Multiple Accesss）方式の通信基地局装置等のように、高速でかつ多量のディジタル信号を処理する通信装置におけるディジタル信号収集方式に関するものである。
【０００２】
【従来の技術】
一般に、ＣＤＭＡ方式の通信基地局装置は、複数枚のカードから構成されており、これ等カード間やカード内部の信号は複数のチャネルが多重されたディジタル信号となっている。すなわち、基地局装置のサービスエリア（セル）内に位置する複数の移動機（ユーザ端末）との間で通信を行うものであるから、当該基地局装置の内部の信号はこれ等複数のユーザである移動機に対応するチャネルが多重されたディジタル信号である。
【０００３】
この様な基地局装置の開発段階や試験、更には保守等の作業において、これ等ディジタル信号の正常動作の確認を行う必要があり、そのためには、一般にロジックアナライザ等の汎用の測定機器を用いているのが現状である。
【０００４】
【発明が解決しようとする課題】
しかしながら、上述した如く、基地局装置のカード間の信号やカード内部の信号は複数のチャネルが多重化されており、またこれ等ディジタル信号は高速であり、更には動作モードが多岐に亘る等の理由により、その解析は極めて困難となっている。
【０００５】
また、例えば基地局装置のチャネルカード（ベースバンド信号処理をなすためのベースバンド信号処理用のカード）を構成するＤＳＰ（Digital Signal Processor）間の通信データを検証する必要がある場合には、これ等ＤＳＰに予めテスト機能を有するプログラムを挿入しておき、このテスト機能を用いてデバグ処理を行っているが、このテスト機能を有するプログラムを作成してＤＳＰに挿入しておく必要があり、またテスト機能の改正の度にその改正版（テストバージョン）を作成し直す必要があって、Ｆ／Ｗ（ファームウェア）担当者の負荷が大となるという問題がある。
【０００６】
更に、この様に複数チャネルが多重化されかつ高速のディジタル信号の収集解析を行うには、テスト機能用プログラを作成したＦ／Ｗ担当者等の専門家に依存せざるを得ず、簡単な収集解析は困難であるという欠点もある。
【０００７】
本発明の目的は、通信基地局装置内等における多重化されかつ高速とされたディジタル信号の収集を容易に行うことが可能なディジタル信号収集システム及びその方法を提供することである。
【０００８】
本発明の他の目的は、ディジタル信号を収集すべき装置内のＤＳＰ（ＣＰＵ）に予めテスト機能用プログラムを挿入しておく必要がなく、簡単にディジタル信号の収集解析をなすことができるディジタル信号収集システム及びその方法を提供することである。
【０００９】
【課題を解決するための手段】
本発明によれば、
被収集装置内の所定観測点における多重化された複数チャネルのディジタル信号をモニタすべく収集するディジタル信号収集システムであって、
前記観測点における前記複数チャネルのディジタル信号のうち予め指定されたチャネルのディジタル信号を抽出しつつリアルタイムに収集して格納する格納手段と、
この格納手段の格納ディジタルデータを読出してデータ解析機能を有する解析手段へ転送する転送手段と、
を含むことを特徴とするディジタル信号収集システムが得られる。
【００１０】
そして、前記格納手段と前記転送手段とは同一カードに搭載されており、前記被収集装置が搭載されているカードと同一のカード実装筐体に収納されていることを特徴としており、また前記解析手段はパーソナルコンピュータであることを特徴としている。
【００１１】
本発明によれば、
被収集装置内の所定観測点における多重化された複数チャネルのディジタル信号をモニタすべく収集するディジタル信号収集方法であって、
前記観測点における前記複数チャネルのディジタル信号のうち予め指定されたチャネルのディジタル信号を抽出しつつリアルタイムに収集して格納手段に格納するステップと、
この格納手段の格納ディジタルデータを読出してデータ解析機能を有する解析手段へ転送するステップと、
を含むことを特徴とするディジタル信号収集方法が得られる。
【００１２】
本発明の作用を述べる。被収集装置内の所定観測点のディジタル信号をモニタするに際して、当該観測点のディジタル信号をリアルタイムに収集してメモリに格納し、このメモリの格納ディジタルデータを読出してパーソナルコンピュータ等のデータ解析機能を有する解析部へ転送し、解析表示するようにする。こうすることにより、ロジックアナライザ等の試験機器を使用することなく、また被収集装置内におけるＤＳＰ（ＣＰＵ）内に予めＦ／Ｗとして試験用プログラムを内蔵しておく必要がなくなり、簡単にディジタル信号の収集が可能となる。
【００１３】
【発明の実施の形態】
以下に、本発明の実施例を図面を参照しつつ説明する。図１は本発明の実施例のブロック図であり、１は本発明によるディジタル信号収集のためのデータ収集Ｈ／Ｗ（ハードウェア）部であって、電源回路１１と、メモリ及び制御回路１２と、ＣＰＵ及び周辺回路１３と、ＰＣ（パーソナルコンピュータ）とのインターフェース１４と、実装筐体１００（図２参照）との接続用コネクタ１５と、データ収集用配線１６と、この配線１６とメモリ１２とを接続するためのコネクタ１７とを有している。
【００１４】
更に、インタフェース１４から接続ケーブル３を介してＰＣ２が接続されており、このＰＣ２はデータ収集Ｈ／Ｗ部１により収集されたディジタルデータを取込んで表示解析するＳ／Ｗ（ソフトウェア）部を内蔵しているものとする。
【００１５】
このデータ収集Ｈ／Ｗ部１は、図２に示す如く、カード構成であり、被収集装置である通信基地局装置１００の筐体内の空きスロット部に挿入される様になっており、そのために、筐体への実装のためのコネクタ１５が設けられて、基地局装置１００を構成する被収集カード１０１と共に筐体へ実装されている。
【００１６】
図１，２を参照して更に詳述すると、電源回路１１はデータ収集Ｈ／Ｗ用カード１の動作電源を生成するものであり、筐体からコネクタ１５を介して所定の直流電圧の供給を受けて、必要な直流電圧を生成するＤＣ／ＤＣコンバータ構成である。被収集カード１０１内の所定観測点のディジタル信号は、データ収集用配線１６により導出されてコネクタ１７を介してメモリ及び制御回路１２へ供給されている。
【００１７】
このメモリ及び制御回路１２はモニタすべきディジタル信号を取込んで格納するメモリ部と、このメモリ部の書込み読出し及びアドレス生成等の制御をなす制御回路部とを有している。ＣＰＵ及び周辺回路１３はメモリ及び制御回路１２を、ＰＣ２からの制御指令により動作制御するものである。このＣＰＵ１３による制御によってメモリ１２から読出された収集データは、インタフェース１４、接続ケーブル３を介してＰＣ２へ供給され、データ解析及び表示がなされることになる。
【００１８】
被収集カード１０１を装置１００の筐体に実装して、カード実動作状態でのディジタル信号はリアルタイムでデータ収集Ｈ／Ｗ用カード１のメモリ１２内に一時的に取込まれて蓄えられ、その後ＰＣ２へ転送されて所定ファイルとして扱われる様になっている。また、その取得信号の形態に応じて、ＰＣ２内のデータ解析Ｓ／Ｗ部においてその内容の解析が行われる。
【００１９】
カード実動作状態でのディジタル信号をモニタするために、予めカード１０１内のモニタしたい個所がデータ収集用配線１６で引出してあり、この配線１６をデータ収集Ｈ／Ｗ用カード１のコネクタ１７に接続しておくことにより、データ収集が可能となる。メモリ及び制御回路１２のメモリ部としては、高速書込みが要求されるためにＳＲＡＭ（Static Random Access Memory ）を使用するのが良い。このＳＲＡＭからＰＣ２へのデータ転送は、できるだけ高速の汎用インタフェースであるイサーネット（登録商標）等を用いる。また、可搬性を考慮すると、ＰＣＭＣＩＡ（Personal Computer Memory Card International Association ）であることが望ましく、例えば図１に示す如く、１０／１００ＢＡＳＥ−Ｔのインタフェースを用いるのが良い。
【００２０】
図３は通信基地局装置１００の被収集カード１０１の概略ブロックとそのモニタすべき観測点を示している。図３（Ａ）は下り送信信号の系統であり、ベースバンド信号処理部２１と、拡散処理部２２と、無線部２３とからなっている。そして、モニタ個所としては、ベースバンド信号処理部２１内の下りチャネル（多重化）信号Ｍ１と、拡散処理部２２内の下り送信拡散信号Ｍ２及び下り加算合成信号Ｍ３と、無線部２３内のＤ／Ａ（ディジタル／アナログ）変換部への入力信号Ｍ４とがあげられる。
【００２１】
図３（Ｂ）は上り受信信号の系統であり、無線部２４と、ベースバンド信号処理部２５と、逆拡散処理部２６とからなっている。そして、モニタ個所としては、ベースバンド処理部２５内のベースバンド信号処理部入力信号Ｍ５と、同じくベースバンド信号処理部２５内のインタフェース経由後の信号Ｍ６と、同じくベースバンド信号処理部２５内のフィンガーサーチャ間信号Ｍ７と、逆拡散処理部２６内の逆拡散後信号Ｍ８とがあげられる。
【００２２】
なお、これ等モニタ個所は単なる一例を示すに止まり、種々の個所を予め定めておくことができることは勿論である。
【００２３】
図４は本発明の実施例の動作を示すフローチャートである。図３（Ａ）のベースバンド信号処理部２１内のモニタ個所の信号Ｍ１をモニタして観測する場合の動作について、以下に説明する。図５は当該モニタ個所の信号Ｍ１のフレームフォーマットの例を示しており、ユーザ＃０〜ユーザ＃６３の合計６４個の移動機（ユーザ端末）への下り送信信号が多重化されたディジタル信号である。尚、本例では、現用系（Ｎ系）と予備系（Ｅ系）との冗長構成とされているものとして示している。
【００２４】
図５に示す如く、モニタ個所のディジタル信号Ｍ１はユーザ毎の送信符号化データ（Ｉ／Ｑビット）及び各種制御情報（Ｉ／Ｑオン／オフ、Ｒビット、ＳＳＤＴオン、ＴＰＣビット、ＴＦＣＩ）であり、データの略号については、本発明とは特に関係ないので、ここでは説明しない。
【００２５】
ＰＣ２によるモニタのためのモニタ個所Ｍ１やユーザ＃等の指定に応答して（図４のステップＳ１）、データ収集動作が開始される。ここで、メモリ１２への書込みは３２ビット単位で行うものとすると、メモリ書込みタイミングチャートは図６に示す如くなる。図６では、ユーザ＃０と＃３２との２つのユーザのチャネルデータをモニタする場合の例が示されている。３２ＭＣＬＫはベースバンド信号処理部２１の動作クロックであり、このクロックは被収集カード１０１から配線１６を介してメモリ及び制御回路１２へ供給される。
【００２６】
このクロックに同期して、メモリ部への書込みアドレス（昇順に生成されるものとする）や書込み信号ＷＲ等が生成されて、例えばユーザ＃０及び＃３２の対応チャネルデータがメモリ部へ３２ビット単位で取込まれることになる（図４のステップＳ２）。データの取込みのトリガとしては、図５における同期ワード（Synch Word）の検出タイミングとする。尚、モニタすべきユーザ＃の指定は最大６４（ユーザ数）とする。図７は、このときのメモリ部（ＳＲＡＭ）における記憶データのイメージ図を示しており、ユーザ＃は＃０と＃３としている。
【００２７】
次に、ＰＣ２からデータの転送要求があると（図４のステップＳ３）、ＣＰＵ１３はこれに応答してメモリ及び制御回路１２に対してメモリ内容の読出し及びＰＣ転送を指示する（図４のステップＳ４）。データ転送を受けたＰＣ２では、テキストファイルを作成して（図４のステップＳ５）、図８に示す如きファイルを得、表示部に表示する（図４のステップＳ６）。図８の例では、図５に示したモニタされたデータフォーマットから、１タイムスロット（シンボル０〜３９）を縦方向とし、これ等を同期ワード（Sync Word ）、同期スロット（Sync Slot ）、Ｉ，Ｑ，Ｉoff ，Ｑoff ，・・・ 、と横方向にフォーマット変換したものである。尚、図５に示したフォーマットを変換せずにそのままＰＣの表示を行うようにしても良いものである。
【００２８】
また、ＰＣ２のデータ解析Ｓ／Ｗ部においては、取得したデータについて、パリティビットのエラーの有無を判別するようにすることができる（図４のステップＳ６）。更に、データをユーザ毎に分離し、Ｉ／Ｑ，Ｒビット，ＳＳＤＴオン等の情報毎に分類して表示することができる。
【００２９】
更にはまた、Ｉ／ＱビットについてはＤＰＣＣＨ（Dedicated Physical Control Channel：ユーザ毎の個別コントロールチャネルであり、パイロット信号ＰＬ，送信電力制御ビットＴＰＣ，各種制御情報等）と、ＤＰＤＣＨ（Dedicated Physical Data Channel ：ユーザ毎の個別データチャネル）とに分離して表示することもできる。尚、ＤＰＤＣＨは誤り訂正を行って符号化前データを表示するようにすることもできる。
【００３０】
図３に示したモニタ個所のＭ１以外の各信号についても、同様な手順で、リアルタイムに信号の収集が行われ、ＰＣ２へ転送され、解析に必要なテキストファイルとして表示されることになる。尚、上記実施例においては、通信基地局装置のデータ収集について述べたが、これに限定されることなく、種々の通信装置等に広く適用可能であることは明らかである。
【００３１】
【発明の効果】
以上述べた如く、本発明によれば、大容量で高速のディジタルデータを、一度ＳＲＡＭ等の高速メモリにリアルタイムで取込んで格納し、この格納データをＰＣ等の一般に広く普及している情報処理装置に供給して、モニタ信号の種類に応じて適切な判り易いテキストファイル形式に変換して表示するようにしたので、データ収集が容易に行え、またデータ加工、解析が容易になるという効果がある。
【００３２】
また、データ加工、解析が容易になるので、動作検証や不具合現象の切り分けが効率的に行えるという効果もある。
【００３３】
更に、ＰＣによりデータ解析を行うことにより汎用測定器の操作を習得する必要なく簡単にデータ収集、解析ができ、また、ＣＰＵ等にデータ収集のための機能プログラムを予め組込む必要もないので、設計時間の短縮が図れるという効果もある。
【図面の簡単な説明】
【図１】本発明の実施例のブロック図である。
【図２】本発明の実施例の実装状態を示す図である。
【図３】本発明の実施例に用いられる通信基地局装置のブロック図及びモニタ個所を示す図である。
【図４】本発明の実施例の動作を示すフローチャートである。
【図５】モニタ個所のディジタル信号フォーマットの例を示す図である。
【図６】図５のディジタル信号の一部をメモリへ取込む場合のタイミングチャートである。
【図７】メモリに取込まれたディジタル信号のイメージ図である。
【図８】ＰＣにおける解析データの表示例を示す図である。
【符号の説明】
１          データ収集Ｈ／Ｗ部
２          ＰＣ及びデータ解析Ｓ／Ｗ部
３          接続ケーブル
１１        電源回路
１２        メモリ及び制御回路
１３        ＣＰＵ及び周辺回路
１４        インタフェース
１５，１７  コネクタ
１６        データ収集用配線
１００      通信基地局装置
１０１      被収集カード
【図１】
0004592995.tif 000002
【図２】
0004592995.tif 000003
【図３】
0004592995.tif 000004
【図４】
0004592995.tif 000005
【図５】
0004592995.tif 000006
【図６】
0004592995.tif 000007
【図７】
0004592995.tif 000008
【図８】
0004592995.tif 000009